(57)【要約】【課題】トナーの貯留量を増すために、トナー貯留部から現像装置へトナーと空気の混合流体を搬送するエア搬送が提案されているが、トナー貯留部の配置が適切でないために、十分な量のトナーを貯留することができない。【解決手段】記録材収納部の一方の側に給紙搬送部を設けるとともに、他方の側にトナー貯留部を設け、流体搬送手段を用いてトナー貯留部から現像装置へトナーを搬送する。【選択図】        図１
2005037438.tif 000002
【特許請求の範囲】
【請求項１】
像担持体上にトナー像を形成し、形成したトナー像を記録材に転写する画像形成部、
記録材を収納する記録材収納部及び、
前記記録材収納部の側方に配置され、前記記録材収納部から前記画像形成部に記録材を供給する給紙搬送部、を有する電子写真画像形成装置において、
前記記録材収納部に対して、前記給紙搬送部と反対側に配置され、前記画像形成部の現像装置に供給されるトナーを貯留するトナー貯留部、
前記現像装置の上方に配置されたトナー分離部、
前記トナー貯留部と前記トナー分離部とを連結する補給管、
前記トナー貯留部と前記トナー分離部とを連結する戻し管、
前記補給管の途中に設けられた補給用流体搬送手段及び、
前記戻し管の途中に配置された戻し用流体搬送手段、を有することを特徴とする電子写真画像形成装置。
【請求項２】
前記トナー貯留部は、前記電子写真画像形成装置の下方部に設けられたことを特徴とする請求項１に記載の電子写真画像形成装置。
【請求項３】
前記補給管は、前記トナー貯留部から上方に延長した第１縦管部と、ほぼ水平に延長し、前記トナー分離部に達する第１横管部とを有し、
前記補給用流体搬送手段は、前記第１縦管部と前記第１横管部との結合部に設けられたことを特徴とする請求項１又は請求項２に記載の電子写真画像形成装置。
【請求項４】
前記戻し管は、前記トナー貯留部から上方に延長した第１縦管部と、ほぼ水平に延長し、前記トナー分離部に達する第１横管部とを有し、
前記戻し用流体搬送手段は、前記第１縦管部と前記第１横管部との結合部に設けられたことを特徴とする請求項１〜３のいずれか１項に記載の電子写真画像形成装置。
【請求項５】
前記トナー貯留部は、トナー貯留室及びトナーと空気とを混合する混合室を有することを特徴とする請求項１〜４のいずれか１項に記載の電子写真画像形成装置。
【請求項６】
前記補給管は、前記トナー貯留部からほぼ水平に延長した第２横管部と、上方に延長し、前記トナー分離部に達する第２縦管部とを有し、
前記補給用流体搬送手段は、前記第２縦管部と前記第２横管部との結合部に設けられたことを特徴とする請求項１、２又は５に記載の電子写真画像形成装置。
【請求項７】
前記戻し管は、前記トナー貯留部からほぼ水平に延長した第２横管部と、上方に延長し、前記トナー分離に達する第２縦管部とを有し、
前記戻し用流体搬送手段は、前記第２縦管部と前記第２横管部との結合部に設けられたことを特徴とする請求項１、２、５又は６に記載の電子写真画像形成装置。
【請求項８】
前記補給管及び前記戻し管は、前記電子写真画像形成装置の背面部に設けられ、前記トナー貯留部と前記トナー分離部間に直線状に配管されたことを特徴とする請求項１に記載の電子写真画像形成装置。
【発明の詳細な説明】
【０００１】
【発明の属する技術分野】
本発明は、電子写真画像形成装置に関し、特に、トナー補給技術に関する。
【０００２】
【従来の技術】
高速画像形成装置やカラー画像形成装置においては、トナーを貯留するトナー貯留部の容積が大きくなるために、トナー貯留を現像装置の近傍に配置することが困難な場合が生ずるという問題がある。
【０００３】
このような問題を解決する手段として、トナーを遠くまで搬送することができるエア搬送と呼ばれるトナー搬送方法によりトナー貯留部から現像装置にトナーを搬送するトナー補給技術が開発されている（特許文献１〜４）。
【０００４】
エア搬送を用いたトナー補給装置の基本的な構成は、トナー貯留部、該トナー貯留部からトナーと空気の混合流体を搬送する流体搬送手段、搬送された混合流体からトナーを分離するトナー分離部である。
【０００５】
【特許文献１】
特開平７−２１９３２９号公報
【０００６】
【特許文献２】
特開平１０−９７１３０号公報
【０００７】
【特許文献３】
特開平１０−２６８６４１号公報
【０００８】
【特許文献４】
特開平１０−２９９６７２号公報
【０００９】
【発明が解決しようとする課題】
複写機等として用いられる電子写真画像形成装置は、一般に感光体上にトナー像を形成し、記録材にトナー像を転写する画像形成部、記録材を収納する記録材収納部及び前記記録材収納部から前記画像形成部に記録材を搬送する給紙搬送部で構成され、前記給紙搬送部は、前記記録材収納部の一方の側方に配置されている。
【００１０】
特許文献１〜４に記載された画像形成装置では、前記画像形成部の現像手段に補給されるトナーを補給するトナー補給部が、前記記録材収納部に対して、前記給紙搬送部と同じ側に配置されている。
【００１１】
前記給紙搬送部が配置された前記記録材収納部の側方は、前記給紙搬送部が設けられる関係で、余分なスペースが少ないために、画像形成装置の上方部等にトナー貯留部を配置しているが、トナー貯留部を十分に大きくすることができないために、画像形成装置の高速性能等に見合ったトナー収容容量を持ったトナー貯留部を設けることができないという問題がある。
【００１２】
特許文献３では、画像形成装置とな別体なトナー貯留部が開示されている。
しかしながら、トナー貯留部を別体とすることは画像形成装置の設置面積を大きくするので望ましくない。また、記録材収納装置、後処理装置等の付属装置を画像形成装置に付加することが困難になるという問題がある。
【００１３】
本発明は、トナー貯留部を十分に大きくすることができないという従来のトナー補給装置における問題を解決することを目的とする。
【００１４】
【課題を解決するための手段】
前記した本発明の目的は下記の発明により達成される。
【００１５】
１．像担持体上にトナー像を形成し、形成したトナー像を記録材に転写する画像形成部、
記録材を収納する記録材収納部及び、
前記記録材収納部の側方に配置され、前記記録材収納部から前記画像形成部に記録材を供給する給紙搬送部、を有する電子写真画像形成装置において、
前記記録材収納部に対して、前記給紙搬送部と反対側に配置され、前記画像形成部の現像装置に供給されるトナーを貯留するトナー貯留部、
前記現像装置の上方に配置されたトナー分離部、
前記トナー貯留部と前記トナー分離部とを連結する補給管、
前記トナー貯留部と前記トナー分離部とを連結する戻し管、
前記補給管の途中に設けられた補給用流体搬送手段及び、
前記戻し管の途中に配置された戻し用流体搬送手段、を有することを特徴とする電子写真画像形成装置。
【００１６】
２．前記トナー貯留部は、前記電子写真画像形成装置の下方部に設けられたことを特徴とする前記１に記載の電子写真画像形成装置。
【００１７】
３．前記補給管は、前記トナー貯留部から上方に延長した第１縦管部と、ほぼ水平に延長し、前記トナー分離部に達する第１横管部とを有し、
前記補給用流体搬送手段は、前記第１縦管部と前記第１横管部との結合部に設けられたことを特徴とする前記１又は前記２に記載の電子写真画像形成装置。
【００１８】
４．前記戻し管は、前記トナー貯留部から上方に延長した第１縦管部と、ほぼ水平に延長し、前記トナー分離部に達する第１横管部とを有し、
前記戻し用流体搬送手段は、前記第１縦管部と前記第１横管部との結合部に設けられたことを特徴とする前記１〜３のいずれか１項に記載の電子写真画像形成装置。
【００１９】
５．前記トナー貯留部は、トナー貯留室及びトナーと空気とを混合する混合室を有することを特徴とする前記１〜４のいずれか１項に記載の電子写真画像形成装置。
【００２０】
６．前記補給管は、前記トナー貯留部からほぼ水平に延長した第２横管部と、上方に延長し、前記トナー分離部に達する第２縦管部とを有し、
前記補給用流体搬送手段は、前記第２縦管部と前記第２横管部との結合部に設けられたことを特徴とする前記１、２又は５に記載の電子写真画像形成装置。
【００２１】
７．前記戻し管は、前記トナー貯留部からほぼ水平に延長した第２横管部と、上方に延長し、前記トナー分離に達する第２縦管部とを有し、
前記戻し用流体搬送手段は、前記第２縦管部と前記第２横管部との結合部に設けられたことを特徴とする前記１、２、５又は６に記載の電子写真画像形成装置。
【００２２】
８．前記補給管及び前記戻し管は、前記電子写真画像形成装置の背面部に設けられ、前記トナー貯留部と前記トナー分離部間に直線状に配管されたことを特徴とする前記１に記載の電子写真画像形成装置。
【００２３】
【発明の実施の形態】
（１）画像形成装置
図１は本発明の実施の形態に係る画像形成装置の例を示す図である。
【００２４】
画像形成装置は、自動原稿搬送装置２０、原稿読取部２１、画像形成部２２、定着装置８及び給紙部を備えている。
【００２５】
図１において、自動原稿搬送装置２０ではその原稿給紙台上に載置された原稿を１枚ずつ読取位置に搬送して読取後の原稿を原稿排紙皿に集積する。
【００２６】
原稿読取部２１は原稿の画像を読み取ってデジタル画像データを生成する。
画像形成部２２は電子写真方式により記録材に画像を形成するものであり、
画像形成部２２において、像担持体としてのドラム状の感光体１の周囲に帯電装置２、露光装置３、現像装置４、転写装置５及びクリーニング装置７が配置される。画像形成部２２の下方には、複数の記録材収納部及び給紙搬送部を備えた給紙部２３が設けられ記録材を画像形成部２２に給紙する。１０は手差し給紙部である。給紙部２３又は手差し給紙部１０から給紙された記録材はレジストローラ１１により感光体１と転写装置５の間に供給され、定着装置８で定着処理されて排紙皿１２に排紙される。
【００２７】
給紙部２３は３個の給紙トレイ２３Ａ１、２３Ａ２、２３Ａ３を有する記録材収納部２３Ａ及び記録材収納部２３Ａの側方に配置された給紙搬送部２３Ｂからなる。
【００２８】
感光体１が時計方向に回転し、帯電装置２による帯電、露光装置３による像露光及び現像装置４による現像で感光体１上にトナー像が形成される。形成されたトナー像は転写装置５により記録材に転写される。トナー像が転写された記録材は定着装置８において定着処理された後に排紙皿１２に排紙される。
【００２９】
カラー画像形成装置では、イエロー画像を形成する画像形成部、マゼンタ画像を形成する画像形成部、シアン画像を形成する画像形成部及び黒画像を形成する画像形成部が設けられ、各画像形成部は現像装置を有する。
【００３０】
また、像担持体上にトナー像を形成し、形成したトナー像を記録材に転写する転写装置として、１次転写手段、中間転写体及び２次転写手段を有し、像担持体上に形成したトナー像を前記１次転写手段で前記中間転写体上に転写し、前記中間転写体上のトナー像を前記２次転写手段で記録材に転写する転写装置を用いることもできる。
【００３１】
現像装置４はトナーとキャリアを含む二成分現像剤又はキャリアを含まずトナー或いはトナー及び添加剤を含む一成分現像剤で感光体１上の静電潜像を現像する。現像装置４には所定量の現像剤が収納されており、二成分現像剤を用いる場合には、現像により消費されたトナーは次に説明するトナー貯留部２４から補給されて、現像装置中の現像剤のトナー濃度が常に所定値に維持される。また、一成分現像剤を用いた現像装置では、同様のトナー補給により現像装置中の現像剤量が常に所定量に維持される。
【００３２】
トナー貯留部２４にはトナー容器３１が装着される。トナー貯留部２４はトナ貯留室の一例であるトナーホッパ３０及び漏斗状の混合室３５を有し、現像装置４の近傍に配置されたトナー分離部６０と現像装置４から離れた位置に設けられたトナー貯留部２４とは補給管４０、４１、戻し管４２、４３により連結される。
（２）トナー補給装置
図２は図１に示す本発明の実施の形態に係る画像形成装置のトナー補給装置を示し、図３はトナー貯留部を示す。
【００３３】
トナー補給装置はトナー貯留部２４（トナー３１容器、トナーホッパ３０、混合室３５で構成される）、補給用流体搬送手段としてのポンプ５０１、戻し用流体搬送手段としてのポンプ５０２、トナー分離部６０、補給管４０、４１及び戻し管４２、４３からなる。トナー貯留部２４から上方に延長された第１縦管部としての、補給管４０及び戻し管４３と、ほぼ水平に配管された第１横管部としての補給管４１及び戻し管４２のとの結合部にポンプ５０１、５０２が配置される。第１縦管部はほぼ垂直に配管され、第１横管部はほぼ水平に配管される。補給管４０はトナー貯留部４２とポンプ５０１とを連結し、戻し管４３はトナー貯留部２４とポンプ５０２とを連結する。また、補給管４１はポンプ５０１とトナー分離部６０とを連結し、戻し管４２はポンプ５０２とトナー分離部６０とを連結する。すなわち、ポンプ５０１、５０２は第１縦管部と第１横管部の結合部に配置される。
（３）トナー貯留部
トナー貯留部２４は基本的には、トナー貯留室及びトナーと空気を混合する混合室からなる。
【００３４】
図示の例では、トナー貯留室がトナー容器３１及びトナーホッパ３０からなるが、トナー容器３１がない構成とすることもできる。即ち、トナーホッパのみでトナー貯留室を構成し、トナー容器、トナー袋等からトナーホッパにトナーを投入するようにしてもよい。
【００３５】
トナー貯留部２４は、記録材収納部２３Ａに対して、給紙搬送部２３Ｂが配置されている側と反対の側方に配置される。
【００３６】
この配置により、他の部分の配置に影響を及ぼすことなく、トナー貯留部を配置することが可能になり、トナー貯留部の容量を十分に大きくすることが可能になる。また、カラートナーのトナー貯留部を配置することも可能になる。
【００３７】
トナー貯留部２４は、トナーホッパ３０及び漏斗状の混合室３５を有する。トナー貯留部２４には円筒状のトナー容器３１が装着され、トナー容器３１をモータ３８で回転駆動することにより、トナーがトナー容器３１から開口部３０ａをとおしてトナーホッパ３０に落下する。トナーホッパ３０には複数のコ字状部が形成された棒状の撹拌部材３２及び下部に搬送スクリュー３４が設けられる。
【００３８】
モータ３９の回転により撹拌部材３２及びスクリュー３４が回転して、トナーホッパ３０から混合室３５に開口部３０ｂをとおしてトナーが落下する。
【００３９】
混合室３５には、後に説明するように補給管４３を介して空気が送り込まれるので、トナーと空気とが混合した流体が形成される。
【００４０】
流体搬送手段としては、図４に示すダイヤフラムポンプからなるポンプ５０１、５０２が用いられるが、特開平７−２１９３２９号公報、特開平８−６３６８号公報に開示されているスクリューポンプ等の公知の任意のポンプを用いることができる。ポンプ５０１はトナーと空気の混合流体をトナー貯留部２４からトナー分離部６０に搬送する補給用流体搬送手段を構成し、ポンプ５０２は空気をトナー分離部６０からトナー貯留部２４に戻す戻し用流体搬送手段を構成する。また、図示の例では、同一構造のポンプ５０１、５０２が用いられるが、補給用流体搬送手段と戻し用流体搬送手段とに異なる構造又は異なる種類のポンプを用いてもよい。
（４）流体搬送手段
図示の例では、流体搬送手段は、トナー貯留部の上方に配置される。
【００４１】
このような流体搬送手段の配置により、補給管及び戻し管の途中に流体搬送手段を配置して、補給管及び戻し管を直線状にすることが可能となり、流体の搬送系の目詰まりが防止されるとともに、目詰まりが発生した場合に容易に目詰まりを除去することが可能になる。
【００４２】
ポンプ５０１、５０２を図４により説明する。ポンプ５０１と５０２は図４に示す同一の構造を有するダイヤフラムポンプからなる。
【００４３】
ポンプ５０１の吸気口は補給管４０に接続され、排気口は補給管４１に接続される。ポンプ５０２の吸気口は補給管４２に接続され、排気口が補給管４３に接続される。外壁５０により形成されたポンプ室は内壁５１により吸気室５０ａと排気室５０ｂとに仕切られ、吸気室５０ａの吸気口には弁５３が、排気室５０ｂの通気口（内壁５１に設けた通気口）には弁５４が設けられる。
【００４４】
ポンプ５０１、５０２の外形の一部はゴムからなる弾性体で形成されたダイヤフラム５２で形成され、ダイヤフラム５２はモータ５５で駆動される偏心回転部材５６により駆動されて実線で示す状態と点線で示す状態に変形する。
【００４５】
モータ５５により偏心回転部材５６が回転し、この回転によりダイヤフラム５２が実線で示す状態と点線で示す状態間で変形し、吸気室５０ａの容積を変化させ吸気室５０ａ内の圧力を増減させる。この圧力の増減により、弁５３、５４がそれぞれ実線で示す状態と点線で示す状態に変形し、流体を矢印で示すように一方向に搬送する。
（５）トナー分離部
トナー分離部は、トナーを流体から分離して、現像装置に供給する部分であり、分離されたトナーを現像装置に落下させることにより、トナー補給機構が簡略化される。従って、トナー分離部は現像装置の上方に配置される。
【００４６】
次にトナー分離部６０を、図５を用いて説明する。
トナー分離部６０は、トナー分離部６０の外径を形成する外壁６１、トナー分離部６０内を導入室６ＯＡと、排気室とに分離する内壁６４、６５及び補助内壁６６を有する。排気室は排気部６０Ｂとフィルタ室６０Ｃからなる。
【００４７】
導入室６０Ａには空気導入口６２が設けられ、排気部６０Ｂには空気排出口６３が設けられる。補助内壁６６はトナーの落下を案内するとともに、トナーの上昇を抑制する。トナー分離部６０の下部には、羽を有する撹拌部材６７及びトナーを軸方向に搬送するスクリュー６８が設けられる。トナーと空気の混合流体は矢印Ｗ１のように空気導入口６２から導入室６０Ａに導入され、Ｗ２で示すように落下する。導入室６０Ａ内には混合流体が充満するが、ポンプ５０２による流体搬送力による圧力を受けて、矢印Ｗ３で示すように一部上昇して排気部６０Ｂに搬送される。トナーの比重と補助内壁６６の作用で、矢印Ｗ３で示す方向に上昇する混合流体中のトナー濃度は低くなり、ほぼ空気からなる流体になる。排気部６０Ｂ内の混合流体は矢印Ｗ４で示すように空気排出口６３から排出されるとともに、一部が矢印Ｗ５で示すようにフィルタ室６０Ｃに進入し、フィルタ６９により濾過されて排出される。
【００４８】
図示のように、内壁６５の垂直部６５Ａと、内壁６４の垂直部６４Ａとにより混合流体が蛇行させる連通路が形成される。このような蛇行する連通路により、排出される空気中のトナー含有量及びフィルタ６９で処理される流体中のトナー含有量が低い値となる。垂直部６５Ａ及び６４Ａは円筒状であり、垂直部６５Ａの円筒内に垂直部６４Ａの円筒が配置された構成になっている。
（６）トナー補給動作
図２に示すように、トナーホッパ３０と、ポンプ５０１、５０２と、トナー分離部６０とは、補給管４０、４１及び戻し管４２、４３により連結される。
【００４９】
ポンプ５０１により、矢印Ｘ１で示すようにトナーホッパ３０からポンプ５０１へ、矢印Ｘ２で示すようにポンプ５０１からトナー分離部６０へ混合流体が搬送されてトナー供給が行われ、ポンプ５０２により、矢印Ｘ３で示すようにトナー分離部６０からポンプ５０２へ、矢印Ｘ４で示すようにポンプ５０２からトナーホッパ３０へと空気が戻る。そして、トナー分離部６０においてトナーが分離され、スクリュー６８によりトナーが現像装置４に供給される。
【００５０】
トナーホッパ３０内のトナー量は、ピエゾ素子を用いたトナーセンサ３３により検知され、トナーセンサ３３により検知されるレベルよりもトナーのレベルが下がるとモータ３８が作動してトナー容器３１からトナーホッパ３０にトナーを補給する。
【００５１】
図示しない制御手段から現像装置４へトナーを補給する補給信号により、図３に示すモータ３９が作動して撹拌部材３２を駆動してトナーホッパ３０内のトナーを撹拌するとともに、スクリュー３４を駆動してトナーを混合室３５に落下させる。前記補給信号により、モータ５５が作動してポンプ５０１、５０２が作動する。ポンプ５０１、５０２の作動により、混合室３５内に気流が発生してトナーと空気が混合され、混合流体はポンプ５０１の搬送力で補給管４０、４１を経てトナー分離部６０に搬送される。
【００５２】
トナー分離部６０で分離されたトナーはスクリュー６８により現像装置４に供給される。また、分離された空気はポンプ５０２の搬送力により戻し管４２、４３を経て混合室３５に戻る。
【００５３】
（７）実施の形態の他の例
図６は本発明の実施の形態に係る画像形成装置の他の例を示す部である。
【００５４】
本例では、補給用流体搬送手段としてのポンプ５０１及び戻し用流体搬送手段としてのポンプ５０２が給紙搬送部２３Ｂの下方に配置される。なお、トナー貯留部２４は図１の例と同様に、記録材収納部２３Ｂの側方、且つ定着装置８の下方、すなわち、記録材収納部２３Ａに対して給紙搬送部２３Ｂと反対側に配置される。
【００５５】
トナー貯留部２４とポンプ５０１、５０２とを連結する第２横管部としての補給管４０及び第２横管部としての戻し管４３は装置の底部に配置され、ほぼ水平に配管された補給管４０は、ポンプ５０１に連結され、ほぼ水平に配管された戻し管４３はポンプ５０２に連結される。
【００５６】
ポンプ５０１、５０２とトナー分離部６０とを連結する第２縦管部としての補給管４１及び第２縦管部としての戻し管４２は給紙搬送部２３Ｂの背面部側、すなわち、装置奥側に配置される。
【００５７】
補給管４１はポンプ５０１とトナー分離部６０とを連結しており、ほぼ垂直に配管される。戻し管４２はポンプ５０２とトナー補給部６０とを連結しており、ほぼ垂直に配管される。
【００５８】
図７は本発明の実施の形態に係る画像形成装置の他の例を示す部である。図７において、一点鎖線で示す部分は、実線で示す補給管４０、４１、戻し管４２、４３の手間側に配置されていることを示す。
【００５９】
図示のように、補給管４０及び戻し管４３は装置の背面側、すなわち装置奥側に配置されており、トナー貯留部２４から斜め上方に延長し、中間位置に配置されたポンプ５０１、５０２に連結され、補給管４１及び戻し管４２は、ポンプ５０１、５０２から斜め上方に延長して、トナー分離部６０に連結される。
【００６０】
図から明らかなように、補給管４０、４１及び戻し管４２、４３は直線状に形成される。
【００６１】
なお、図６、７に示す例では、排紙皿１２の下方にトナー貯留部を側方に突出させることにより、トナー貯留部の容積を大きくしている。
【００６２】
【発明の効果】
前記１〜８のいずれかの発明により、大容量のトナー貯留部を配置することが可能になるので、高速画像形成装置やカラー画像形成装置において、十分な量のトナーを装置内に貯留することが可能になる。
【００６３】
請求項３又は請求項６の発明により、トナー貯留部からトナー分離部へトナーを輸送する補給管を直線状にすることが可能となるので、トナー輸送系の目詰まり等を防止することが可能になる。
【００６４】
請求項４又は請求項７の発明により、トナー分離部からトナー貯留部へ空気を戻す戻し管を直線状にすることが可能となるので、トナー輸送系の目詰まり等を防止することが可能になる。
【００６５】
請求項８の発明により、トナー貯留部からトナー分離部へトナーを補給する補給管及びトナー分離部からトナー貯留部へ空気を戻す戻し管を直線状にすることが可能となるので、トナー輸送系の目詰まり等を防止することが可能になる。
【図面の簡単な説明】
【図１】本発明の実施の形態に係る画像形成装置を示す図である。
【図２】本発明の実施の形態に係るトナー補給装置を示す図である。
【図３】トナー貯留部を示す図である。
【図４】ポンプを示す図である。
【図５】トナー分離部を示す図である。
【図６】本発明の実施の形態に係る画像形成装置の他の例を示す部である。
【図７】本発明の実施の形態に係る画像形成装置の他の例を示す部である。
【符号の説明】
３０  トナーホッパ
３５  混合室
４０、４１  補給管
４２、４３  戻し管
６０  トナー分離部
５０１、５０２  ポンプ
【図１】
2005037438.tif 000003
【図２】
2005037438.tif 000004
【図３】
2005037438.tif 000005
【図４】
2005037438.tif 000006
【図５】
2005037438.tif 000007
【図６】
2005037438.tif 000008
【図７】
2005037438.tif 000009